(57)【特許請求の範囲】
【請求項１】
相手部材と対面、離間する端面を有し、開閉動することにより前記相手部材と対面、離間するこの端面に指詰め防止部材が取り付けられた開閉体において、
前記指詰め防止部材が開閉体厚さ方向に２個に分割されて前記端面に配置されており、
前記端面には係止部材が取り付けられ、この係止部材は、前記開閉体厚さ方向の両端部において、前記端面の側から前記開閉体の反対側の端面側へ延びる長さを有する２個の係止部を備えており、前記指詰め防止部材には、前記端面の側から前記係止部の長さ方向へ切り込まれた溝が形成され、この溝に前記係止部が挿入されることにより、前記２個の指詰め防止部材がそれぞれの前記係止部ごとに係止され、
板状となっている前記係止部材は、前記２個の係止部の間の平面部において、ビスによって前記開閉体厚さ方向中央部に結合されていることを特徴とする開閉体。
【請求項２】
請求項１に記載の開閉装置において、前記端面には、前記開閉体本体の錠前装置の構成部材であるラッチ部材が出没自在に配置され、前記係止部材の前記平面部には、このラッチ部材が出没する孔が形成されていることを特徴とする開閉体。
【請求項３】
請求項１又は２に記載の開閉体において、前記端面には板材による端面部材が配置され、この端面部材に、前記係止部材が、前記平面部において、前記ビスによって結合されていることを特徴とする開閉体。
【請求項４】
請求項３に記載の開閉体において、前記端面部材の前記開閉体厚さ方向の両側の端部は、前記開閉体本体の幅方向後方へ窪みかつ前記開閉体本体の外側へ開放された段部となっており、それぞれの前記指詰め防止部材は、前記開閉体本体の幅方向にこれらの段部と対向して配置されていることを特徴とする開閉体。
【請求項５】
請求項１〜４のいずれかに記載の開閉体において、基端部を中心に水平面内で揺動する揺動部材の先端部で幅方向途中部が垂直軸を中心に回動自在に支持されているとともに、幅方向途中部に設けられた被ガイド部材が水平方向に延びるガイド部材でガイドされるバランスドアのドア本体であり、このドア本体の幅方向両側のそれぞれの端面に、ドア本体厚さ方向に２個に分割された前記指詰め防止部材が配置され、前記ドア本体が出入口を閉じているときに、前記２個の指詰め防止部材のうちの一方が、前記相手部材に設けられている戸当たり部材に前記ドア本体の厚さ方向で当っていることを特徴とする開閉体。
【請求項６】
請求項５に記載の開閉体において、前記出入口の幅方向へ位置調整可能となっていることを特徴とする開閉体。
【発明の詳細な説明】
【０００１】
【発明の属する技術分野】
本発明は、開閉動することにより端面が相手部材と対面、離間する開閉体、及びこの開閉体に取り付けられる指詰め防止部材に係り、例えば、バランスドアのドア本体、引戸、開き戸、折り戸等に利用できるものある。
【０００２】
【背景技術】
バランスドアのドア本体、引戸、開き戸、折り戸等の開閉動自在となっている開閉体の端面は、開閉体を閉じたときには外枠組み、柱、壁等の相手部材と対面し、開閉体を開いたときには、この相手部材から離間する。開閉体のなかには、開閉体を閉じたとき、その端面と相手部材との間に指等が挟まるのを防止し、あるいは挟まっても容易に抜くことができるようにするため、端面に弾性材料からなる指詰め防止部材を取り付けたものがある。
【０００３】
従来の指詰め防止部材は、開閉体の厚さ寸法と対応した大きさを有し、したがって、１個の指詰め防止部材によって開閉体の１つの端面全体が覆われていた。
【０００４】
【発明が解決しようとする課題】
この従来の指詰め防止部材によると、指詰め防止部材を取り付けようとする開閉体の厚さ寸法に応じた大きさで形成しなければならず、このため、厚さ寸法が異なる開閉体ごとに指詰め防止部材を用意しなければならないという問題があった。
【０００５】
本発明の目的は、厚さ寸法が異なっても同じ指詰め防止部材を使用できるようになる開閉体、及びこの開閉体に使用できる指詰め防止部材を提供するところにある。
【０００６】
【課題を解決するための手段】
本発明に係る開閉体は、相手部材と対面、離間する端面を有し、開閉動することにより前記相手部材と対面、離間するこの端面に指詰め防止部材が取り付けられた開閉体において、前記指詰め防止部材が開閉体厚さ方向に複数個に分割されて前記端面に配置されていることを特徴とするものである。
【０００７】
この開閉体によると、指詰め防止部材は開閉体の端面全体を覆う大きさを有しておらず、開閉体の厚さ方向に複数個に分割されたものとなっているため、厚さ寸法が異なる開閉体について共通使用できるようになり、指詰め防止部材に関するコストの削減を図ることができる。
【０００８】
また、端面から錠前装置の構成部材やラッチ部材等が出没するようになっている開閉体においては、指詰め防止部材を開閉体厚さ方向両側の端部に配置される２個とした場合には、これらの錠前装置の構成部材やラッチ部材等を出没させるための孔を指詰め防止部材に形成する必要がなくなるという効果も得られる。
【０００９】
このように、開閉体の厚さ方向に分割された指詰め防止部材の個数は、開閉体の端面の開閉体厚さ方向両側の端部に配置される２個だけでもよく、あるいは、これらの間に配置されるものを含めた３個でもよく、４個以上でもよい。
【００１０】
また、開閉体の端面に複数個の指詰め防止部材を開閉体厚さ方向に配置したとき、厚さ寸法が小さい開閉体については、指詰め防止部材同士が接触あるいは重なり合ってもよい。
【００１１】
そして、複数個の指詰め防止部材によって開閉体の１つの端面全体を覆ってもよい。
【００１２】
指詰め防止部材を開閉体の端面に配置するための構造は任意であり、例えば、それぞれの指詰め防止部材をビス、リベット等の止着具、両面テープ、接着剤等で開閉体に取り付けることにより行ってもよく、また、開閉体自身に指詰め防止部材を係止又は係合する部分を設け、これらの係止部分又は係合部分により行ってもよく、さらには、開閉体の端面に、開閉体厚さ方向に複数個の係止部が離間して設けられた係止部材を取り付け、開閉体厚さ方向に分割された複数個の指詰め防止部材をこれらの係止部に係止させることにより行ってもよい。
【００１３】
これらのうち最後の配置構造によると、開閉体の端面に取り付けた係止部材による係止作用によって指詰め防止部材の配置作業を簡単に行えるとともに、開閉体に係止部分又は係合部分等の特別の形状部分を形成することなく実施できるようになる。
【００１４】
また、この配置構造における係止部材の係止部は、指詰め防止部材を係止できるものであれば任意な形状でよい。その一例は、係止部材の係止部を前記端面から開閉体の反対側の端面側へ延びる長さを有するものとし、指詰め防止部材には、前部から係止部の長さ方向へ切り込まれた溝を形成し、この溝に係止部を挿入させることにより、指詰め防止部材を係止部材に係止することである。
【００１５】
この配置構造によると、係止部材の係止部により指詰め防止部材は開閉体の厚さ方向に不動となり、また、指詰め防止部材の後端を開閉体に当接させることにより、指詰め防止部材は開閉体の幅方向にも不動となり、指詰め防止部材を確実に位置決め配置できることになる。
【００１６】
また、係止部材を開閉体の端面に取り付けるための構造は任意であり、この取り付けを、例えば、ビス、リベット等の止着具、両面テープ、接着剤、溶接等により行ってもよく、あるいは、係止部材自体に、開閉体に係止又は係合又は嵌合等される部分を設けることにより行ってもよい。
【００１７】
さらに、指詰め防止部材と係止部材のそれぞれ１個又は複数個を相手部材と対面、離間する端面の全長に亘って設けてもよく、この端面の長さ方向に部分的に設けてもよく、さらには、端面の長さ方向におけるこれらの指詰め防止部材と係止部材との長さを異ならせてもよい。
【００１８】
また、先に係止部材を開閉体の端面に取り付け、この後、係止部材に指詰め防止部材を係止する作業を行ってもよく、あるいは、先に係止部材に指詰め防止部材を係止し、この後、係止部材を開閉体の端面に取り付けてもよく、係止部材は、これらの作業のいずれか一方又は両方を行えるものでもよい。
【００１９】
以上において、指詰め防止部材は全体が中実又は中空の弾性材料で形成されていてもよく、また、硬質材料で形成された内部部材の外側に弾性材料からなる外部部材が被せられて形成されていてもよい。
【００２０】
指詰め防止部材が硬質材料で形成された内部部材を有していると、指詰め防止部材の全体的な強度を確保できるようになり、開閉体に指詰め防止部材を取り付ける前などにおける指詰め防止部材の取り扱い性を良好にできる。
【００２１】
なお、ここでいう内部部材の外側に外部部材を被せるとは、内部部材の全体を外部部材で覆う場合と、指詰め防止部材を開閉体に取り付けたときに開閉体やその付属部材に接触する部分には外部部材を被せず、残りの部分に外部部材を被せる場合との両方をいう。
【００２２】
また、以上の本発明は任意な開閉体に適用でき、開閉体は、例えば、バランスドアのドア本体、引戸、開き戸、折り戸のいずれでもよく、また、天井レールに沿って移動自在となった移動式間仕切りパネルでもよく、シャッター装置のガイドレールに案内されて移動するシャッターカーテンでもよい。
【００２３】
また、開閉体は外枠組みの内側に形成されている出入口等の開口部を開閉するものでもよく、あるいは、柱や壁に対して直線移動や回動することにより開閉するものでもよい。したがって、開閉体が開閉動したときにこの開閉体の端面が対面、離間する前記相手部材は、外枠組みを形成する部材でもよく、柱、壁等の建物を形成する部材でもよい。
【００２４】
また、本発明に係る開閉体は、スラット式シャッターを構成しているスラットや、オーバーヘッドドアを含むパネルシャッターを構成しているパネルのように、開閉動する構造体を構成している構成部材でもよく、開閉体がこの構成部材である場合には、この構成部材が対面、離間する相手部材は、この構成部材に隣接配置されている他の構成部材となる。
【００２５】
開閉体がバランスドアのドア本体である場合、すなわち、開閉体が、基端部を中心に水平面内で揺動する揺動部材の先端部で幅方向途中部が垂直軸を中心に回動自在に支持されているとともに、幅方向途中部に設けられた被ガイド部材が水平方向に延びるガイド部材でガイドされるバランスドアのドア本体である場合には、このドア本体の幅方向両側のそれぞれの端面に、ドア本体厚さ方向に複数個に分割された指詰め防止部材を配置してもよく、ドア本体の幅方向の一方の端面だけに、ドア本体厚さ方向に複数個に分割された指詰め防止部材を配置してもよい。
【００２６】
しかし、バランスドアのドア本体の幅方向両側の端面は、ドア本体の開閉動によりそれぞれの相手部材に対して対面、離間するため、ドア本体の幅方向両側のそれぞれの端面に、ドア本体厚さ方向に複数個に分割された指詰め防止部材を配置することが好ましい。
【００２７】
このバランスドアのドア本体のように、幅方向両側の端面がそれぞれの相手部材に対して対面、離間する開閉体に本発明を適用する場合には、開閉体の厚さ方向に分割された複数個の指詰め防止部材は、一方の端面だけに配置してもよいが、両方の端面に配置することがより好ましい。
【００２８】
また、開閉体がバランスドアのドア本体である場合、前記揺動部材は上下のアーム部材でもよく、あるいは、ドア本体の正面又は裏面と対面する面積を有するパネル状部材でもよい。
【００２９】
本発明に係る開閉体の指詰め防止部材は、開閉動することにより端面が相手部材と対面、離間する開閉体の前記端面に取り付けられる指詰め防止部材であって、前記端面の開閉体厚さ方向両側の端部に分離して取り付けられることを特徴とするものである。
【００３０】
この指詰め防止部材によると、開閉体の厚さ方向両側の端部に分離して取り付けられるため、厚さ寸法が異なる各種の開閉体について共通して使用できるようになる。また、端面から錠前装置の構成部材やラッチ部材が出没する開閉体に使用する場合には、これらの錠前装置の構成部材やラッチ部材を出没させるための孔を指詰め防止部材に形成することが不要になる。
【００３１】
また、開閉体の端面における開閉体厚さ方向両側の端部に分離して配置される本発明に係る指詰め防止部材は、Ｌ字状に突出した角部となっている前記端部に配置されるものでもよく、あるいは、これらの端部を窪んだ窪み部とし、指詰め防止部材をこれらの窪み部と対応した大きさを有するものとすることにより、窪み部に収納配置してもよい。
【００３２】
後者によると、指詰め防止部材の体積を大きくすることができるため、少なくとも一部が弾性材料で形成されている指詰め防止部材の大きな弾性作用を確保できるようになる。
【００３３】
【発明の実施の形態】
以下に本発明の一実施形態を図面に基づいて説明する。本実施形態は、開閉体が、トイレ室等の空間を仕切るために間仕切り壁に設けられるバランスドアのドア本体である場合で、図１はそのバランスドアの室内側を示す正面図であり、図２は、その背面図である。図３は、図１のIII−III線断面図、図４は、図２のIV−IV線断面図である。
【００３４】
バランスドアの開口部である出入口１を内側に形成する外枠組み２は、上枠３と、左右の縦枠４，５とで形成され、これらの上枠３、縦枠４，５は、図３、図４に示されているとおり、アンカーブラケット６を介して建物躯体に結合されている。出入口１の縦枠４側の端部には、出入口１の縦方向を軸方向とする中心軸を中心に揺動自在となっている揺動筒部材７が立設され、揺動中心部材になっているこの揺動筒部材７は、図３で示されているように角筒状である。
【００３５】
揺動筒部材７の側面の上下端部には、図１で示すように、出入口１の幅方向に延びていて揺動部材になっている上下のアーム部材８，９の後端部が結合され、これらのアーム部材８，９の基端部となっている揺動筒部材７を中心に出入口１と直角をなす水平面内で揺動自在になっているこれらのアーム部材８，９における出入口１の幅方向の先端部に、出入口１に配置されていて出入口１を開閉するドア本体１０の幅方向途中部が連結され、この連結は、出入口１の縦方向を軸方向とする中心軸（垂直軸）を中心に回動自在になされている。また、上枠３の下面には不動部材１１が固定され、上アーム部材８が揺動筒部材７を中心とした揺動により上枠３の真下に達したとき、この上アーム部材８と不動部材１１とが一直線上に並び、高さ寸法及び幅寸法が互いに対応しているこれらの上アーム部材８と不動部材１１とにより、外観上、上枠３の下部の横枠部材が形成されるようになっている。
【００３６】
また、図２に示すように、上アーム部材８と不動部材１１との裏側において、上枠３の下面には出入口１の幅方向に延びるガイド部材であるガイドレール１２が取り付けられ、出入口１の幅方向全長の長さ又はこの全長より短い長さを有しているこのガイドレール１２は、図４に示すとおり、下面が開口したチャンネル状であり、この開口した部分には、ガイドレール１２の幅方向両側から内側に延びる延出部１２Ａが形成されている。
【００３７】
内部に耐熱材等の芯材１０Ａが充填されているドア本体１０の幅方向途中部の上部には、ドア本体１０の厚さ方向に突出したブラケット１３が設けられ、このブラケット１３に立設された垂直軸１４にローラ１５が回転自在に取り付けられ、ガイドレール１２で案内される被ガイド部材になっているこのローラ１５は、ガイドレール１２の内部に挿入されて延出部１２Ａ上に載せられている。
【００３８】
このため、ドア本体１０を図１、図２で示された把持部１６で押し又は引き操作すると、揺動筒部材７を中心とした上下のアーム部材８，９の揺動運動と、ガイドレール１２に沿ったローラ１５の直線運動とにより、ドア本体１０は、図５の模式的平面図で示すように、アーム部材８，９に対して出入口１と直角をなす水平面内で回動しながら出入口１の幅方向に移動し、出入口１を開閉することになる。図３に示すように、縦枠４，５には戸当たり部材１７，１８が設けられているため、ドア本体１０が出入口１を閉じたときには、ドア本体１０の表裏両面に戸当たり部材１７，１８が当たることにより、ドア本体１０のそれ以上の回動が阻止される。
【００３９】
また、図９で示されているように、ドア本体１０の両方の端面１０Ｂ，１０Ｃには、起倒操作自在になっている把持部材１６の操作で出没するラッチ部材１９が配置され、ドア本体１０の錠前装置の構成部材であるこのラッチ部材１９は、出入口１を閉じたドア本体１０の端面１０Ｂ，１０Ｃから突出することにより、縦枠５、揺動筒部材７に設けられている凹部状のラッチ受け部材１９Ａに侵入する。
【００４０】
図６には、出入口１を閉じたときのドア本体１０が実線で示され、出入口１を開いたときのドア本体１０が仮想線で示されている。この図６では、縦枠５、揺動筒部材７、上下のアーム部材８，９、不動部材１１、ガイドレール１２が示され、その他は省略されている。
【００４１】
図７には、上下のアーム部材８，９とドア本体１０との連結構造が具体的に示されている。通常時、上アーム部材８には取り外し自在なカバー２０が被せられており、この上アーム部材８の先端には取付部材２１が取り付けられ、取付部材２１には第１連結ピン２２が垂直に配置されている。ドア本体１０の上面にはベアリング保持部材２３がビス２４で固定され、第１連結ピン２２の下部はこの保持部材２３で保持されたベアリング２５に挿入され、下端のフランジ部２２Ａがベアリング２５の下面に係止されている。また、下アーム部材９の先端には、第１連結ピン２２に真下において第２連結ピン２６が垂直に設けられ、ドア本体１０の下面にはベアリング保持部材２７がビス２８で固定されている。この保持部材２７で保持されたベアリング２９に第２連結ピン２６が挿入されている。
【００４２】
このため、上下のアーム部材８，９とドア本体１０との連結は、出入口１の縦方向を軸方向とする第１及び第２連結ピン２２，２６を中心にドア本体１０が回転自在となってなされている。
【００４３】
また、ドア本体１０は第１連結ピン２２で上アーム部材８に吊り下げられた状態で支持され、ドア本体１０の重量は上アーム部材８で支持されているため、ドア本体１０が出入口１に対して開閉動を行うとき、ガイドレール１２に挿入係合されている前記ローラ１５にドア本体１０の重量を支持させる必要がない。このため、ローラ１５を、前述のとおり、垂直軸１４を中心に回動自在とし、ガイドレール１２の内側面をガイド面にさせて転動させればよいため、ガイドレール１２に案内させて行わせるローラ１５の直線運動を摩擦のない又は極めて小さい円滑のものとして行わせることができ、この結果、ドア本体１０の開閉動をスムーズなものにできる。
【００４４】
また、本実施形態では、第１連結ピン２２には雄ねじ部２２Ｂが形成され、この雄ねじ部２２Ｂは、取付部材２１の上面に出入口１の幅方向にスライド自在に配置されたスライダ部材３０の孔に挿入されている。そして、この雄ねじ部２２Ｂは、取付部材２１の先端から出入口１の幅方向へ形成された凹部２１Ａに挿入されているとともに、雄ねじ部２２Ｂに上下のロックナット３１，３２が螺合されている。このため、ロックナット３２を緩めた後、ロックナット３１を工具等で回り止めしながら第１連結ピン２２を回転させると、その回転方向に応じて第１連結ピン２２は上下動し、これにより、ドア本体１０の全体高さ位置を調整でき、そしてロックナット３２を締め付けて第１連結ピン２２をロックすることにより、ドア本体１０をその高さ位置に固定できる。
【００４５】
また、スライダ部材３０は、出入口１の幅方向に長い長孔３３に挿入されて取付部材２１に螺入された止めねじ３４で取付部材２１に止められているとともに、スライダ部材３０の端部に形成されている立上り部３０Ａには、横向きの調整ねじ３５が軸方向には不動となって回転自在に係合支持され、この調整ねじ３５は取付部材２１の雌ねじ２１Ｂに螺入されている。止めねじ３４及び下側のロックナット３２を緩めた後、調整ねじ３５を工具で回転させると、その回転方向に応じてスライダ部材３０は出入口１の幅方向に進退する。これにより、ドア本体１０は第２連結ピン２６を中心に垂直面内で若干傾きながらも全体的には出入口１の幅方向に移動し、この方向におけるドア本体１０の位置が調整された後、止めねじ３４及び下側のロックナット３２を締め付けることにより、ドア本体１０はその位置で固定される。
【００４６】
したがって本実施形態では、第１連結ピン２２と調整ねじ３５とによってドア本体１０の位置を垂直面内で調整することができ、この結果、ドア本体１０の周囲の隙間調整を行える。
【００４７】
図７には、前記揺動筒部材７の揺動中心軸に関する構造も示されている。揺動筒部材７の上側の中心軸はピボット装置４０のピン４１であり、下側の中心軸は、出入口１を開けたときのドア本体１０に自閉力を付与するための自閉装置５０の作動軸５１である。出入口１の縦方向を軸方向とするこれらのピン４１と作動軸５１を中心に揺動筒部材７は揺動可能である。自閉装置５０は、揺動筒部材７の内部下側に収納されている。
【００４８】
ピボット装置４０は、上枠３に取り付けられた第１基板４２と、上アーム部材８の上面に取り付けられた第２基板４３とを有し、第２基板４３には揺動筒部材７の内部に臨んで前記ピン４１が挿入されるピン受け部材４４が固定されている。また、第１基板４２には、回転させることにより上下方向に移動する操作ねじ４５と、一端がこの操作ねじ４５に係合し、他端にピン４１が係合したレバー４６と、このレバー４６の揺動中心部材４７とが設けられている。
【００４９】
揺動筒部材７が前記外枠組み２の内側に形成された出入口１の所定位置に立てられる前は、操作ねじ４５がねじ込み操作されていて、レバー４６の操作ねじ４５側の端部が下がっているため、ピン４１は上昇位置にある。揺動筒部材７を所定位置に立てた後、操作ねじ４５を回転させてレバー４６の操作ねじ４５側の端部を上げることにより、ピン４１は下降してピン受け部材４４の内部に挿入され、これにより揺動筒部材７の上端は上枠３に連結される。
【００５０】
図８は、図7のVIII−VIII線断面図である。自閉装置５０の本体である外筒５２の下部には、四角状のブロック部材５３が外筒５２と結合一体化されて設けられ、このブロック部材５３の内部と外筒５２の内部途中まで挿入されている作動軸５１（図７参照）の下端５１Ａがブロック部材５３の下面から突出し、この下端５１Ａは角型テーパ状となっている。揺動筒部材７の内部においてブロック部材５３は、図８で示すように、揺動筒部材７にビス５４で結合され、したがって外筒５２も揺動筒部材７と結合一体化されている。
【００５１】
図７、図８で示すとおり、揺動筒部材７が立てられる床５５の所定位置には、作動軸５１の下端５１Ａが係合状態で挿入される受け部材５６が埋設されており、揺動筒部材７を前述した所定位置に立てる際には、この受け部材５６に作動軸５１の下端５１Ａを挿入係合させて行う。受け部材５６には床５５の上面から垂直部５７Ａが突出した係止部材５７が結合されており、この垂直部５７Ａを図２、図３で示した前記縦枠４にビス、溶接等で結合する。
【００５２】
このため、自閉装置５０の作動軸５１は、受け部材５６、係止部材５７を介して縦枠４に連結されており、これに対して揺動筒部材７に結合されている外筒５２は、上下アーム部材８，９を揺動させてドア本体１０を出入口１に対して開閉動させることによって、揺動筒部材７をピボット装置４０のピン４１と自閉装置５０の作動軸５１を中心に揺動させたとき、揺動筒部材７と共に揺動することになり、作動軸５１は回転しない。
【００５３】
外筒５２の内部には螺旋型ばねが収納され、このばねの下端は作動軸５１に結合され、上端は外筒５２の内部に回転自在に収納されているリング部材６１に結合されている。図８に示すとおり、外筒５２にはリング部材６１の一部が露出する窓孔６２が形成されており、この窓孔６２に、リング部材６１の全周に亘って等間隔で設けられている穴６３のうちの複数個が臨んでいる。これら複数個の穴６３にピンを順次差し込み、抜き取ることを繰り返すによってリング部材６１を一方向に回転させることにより、螺旋型ばねの巻き込みがなされてこのばねにばね力が蓄圧され、一つの穴６３に差し込んだピンをそのまま残すことにより、ピンが窓孔６２の周縁部に係止されるため、螺旋型ばねのそのときの蓄圧力が維持される。
【００５４】
このような状態になっているときに、出入口１を閉じていたドア本体１０を開くと、外筒５２は揺動筒部材７と共に作動軸５１を中心に一方向（螺旋型ばねを巻き込む方向）に揺動することになり、ドア本体１０から手を離すと、ドア本体１０は螺旋型ばねの蓄圧力で自動的に閉じることになる。このときのドア本体１０の自閉力の大きさは、螺旋型ばねに蓄圧されているばね力の大きさに応じたものとなる。
【００５５】
したがって、リング部材６１を前記ピンで回転させたときの回転角度量の大きさによってドア本体１０の自閉力の大きさを決めることができる。また、リング部材６１の穴６３からピンを抜き取った場合には、リング部材６１は外筒５２に対し自由状態となって螺旋型ばねの蓄圧力が開放されるため、このときには、バランスドアをドア本体１０の自閉力が消滅した手動操作式のものとすることができる。
【００５６】
また、外筒５２の内部には作動油が充填されている。さらに、外筒５２の内部には、この作動油を一方向へは自由に通過させ、作動油の他方向への通過は弁部材で阻止するオリフィスを備えたオリフィス部材と、テーパピンが挿入されていて作動油が流通できる貫通孔を備えた作動油流通絞り部材とが収納されている。
【００５７】
出入口１を閉じていたドア本体１０を開く場合には、作動油はオリフィスを自由に通過し、したがって、ドア本体１０の開き操作は、その開き速度のまま自由に行える。一方、ドア本体１０を閉じる場合には、上記弁部材でオリフィスが塞がれ、また、作動油は上記テーパピンが挿入された上記貫通孔をこのテーパピンで絞られながら流通するため、ドア本体１０の閉じ速度は減速される。テーパピンは、図８で示された外筒５２の上部の円板部材７６を回転操作することにより貫通孔に対して移動するため、この円板部材７６の回転操作により、貫通孔を作動油が流通するときのテーパピンによる絞り量を変更することができ、これにより、ドア本体１０の閉じ速度を調整することができる。
【００５８】
なお、揺動筒部材７には、以上のリング部材６１、円板部材７６を回転操作できるようにするための窓孔８０，８１が形成されており、これらの窓孔８０，８１は、通常時、取り外し可能な蓋部材８２，８３で塞がれている。
【００５９】
図９には、一部を破断したドア本体１０とその周辺部材である外枠組み２の縦枠５と揺動筒部材７とが示されている。ドア本体１０が外枠組み２の内側に形成されている出入口１を閉じたとき、ドア本体１０の幅方向両側の端面１０Ｂ，１０Ｃはこれらの縦枠５と揺動筒部材７とに対面し、ドア本体１０が出入口１を開いたときには、端面１０Ｂ，１０Ｃは縦枠５と揺動筒部材７から離間するため、本実施形態では、ドア本体１０の開閉動により端面１０Ｂ，１０Ｃと対面、離間する相手部材は、これらの縦枠５と揺動筒部材７になっている。
【００６０】
これらの端面１０Ｂ，１０Ｃのそれぞれには、全体がゴム又は軟質合成樹脂あるいは多孔質合成樹脂等による弾性材料で形成されている２個の指詰め防止部材６５がドア本体１０の厚さ方向に分割された状態で配置されている。以下、この指詰め防止部材６５の配置構造について説明する。
【００６１】
ドア本体１０の端面１０Ｂ，１０Ｃには、ドア本体１０の縦方向に延びる板材による端面部材６６が配置され、この端面部材６６におけるドア本体１０の厚さ方向中央部は、ドア本体１０を閉じたときに縦枠５、端面１０Ｂ，１０Ｃの内面と対面する平面部６６Ａになっているとともに、両側の端部は、ドア本体１０の幅方向後方に窪みかつドア本体１０の外側に開放された段部６６Ｂとなっている。ドア本体１０の両方の表面は表面部材６７で形成され、板材からなるこの表面部材６７におけるドア本体１０の幅方向両側の端部６７Ａは、ドア本体１０の内側に折り曲げられ、この端部６７Ａは端面部材６６における段部６６Ｂの底部に重合されている。
【００６２】
したがって、ドア本体１０の端面１０Ｂ，１０Ｃの幅方向両側における端部は、ドア本体１０の幅方向後方に窪んでドア本体１０の外側に開放された窪み部６８となっている。
【００６３】
端面部材６６の平面部６６Ａには、止着具であるビス６９で係止部材７０が取り付けられている。ドア本体１０の縦方向に延びる長さを有するこの係止部材７０は、ドア本体１０の厚さ方向中央部に設けられ、端面部材６６の平面部６６Ａにビス６９で結合される平面部７０Ａと、この平面部７０Ａの両端部からドア本体１０の幅方向へ、すなわち端面１０Ｂに配置される係止部材７０については反対側の端部１０Ｃ側へ、端面１０Ｃに配置される係止部材７０については反対側の端部１０Ｂ側へ延びる長さを有する係止部７０Ｂとからなる平面コ字形状であり、ドア本体１０の厚さ方向に離間している２個の係止部７０Ｂに２個の指詰め防止部材６５が係止されることにより、これらの指詰め防止部材６５がそれぞれの端面１０Ｂと１０Ｃとにドア本体１０の厚さ方向両側の端部に分離して配置されている。
【００６４】
図１０及び図１１には、図９の端面１０Ｂにおける一方の端部に配置されている指詰め防止部材６５が拡大されて示されている。端面１０Ｂにおける他方の端部に配置されている指詰め防止部材６５は、この一方の端部に配置されている指詰め防止部材６５に対し、ドア本体１０の厚さの中心を通る厚さ中心線に対する線対称の対称形状になっており、また、端面１０Ｃの両方の端部に配置されている２個の指詰め防止部材６５も、互いにドア本体１０の厚さの中心を通る厚さ中心線に対する線対称の対称形状になっており、これら４個の指詰め防止部材６５は、押し出し成形された指詰め防止部材用材料を所定長さに切断することにより形成されている。
【００６５】
このように同じ指詰め防止部材用材料から形成できるそれぞれの指詰め防止部材６５は、湾曲状に突出した外側面部６５Ａと、この外側面部６５Ａの後部から後方へ突出した小突起６５Ｂと、この小突起６５Ｂよりも前方側でドア本体１０の端面１０Ｂ，１０Ｃと平行に形成された平面状の後端６５Ｃと、この後端６５Ｃから前方へ直角に形成された平面状の内側面部６５Ｄと、この内側面部６５Ｄよりも外側面部６５Ａ側において内側面部６５Ｄと平行に形成された溝６５Ｅと、この溝６５Ｅと内側面部６５Ｄとの間に設けられた挟持部６５Ｆと、外側面部６５Ａの前部において内側面部６５Ｄ側へ突出形成された小突起部６５Ｇとからなる。この小突起６５Ｇと挟持部６５Ｆの先端との間は空間Ｓとなっており、溝６５Ｅは、この空間Ｓから、すなわち指詰め防止部材６５の前部から係止部材７０の係止部７０Ｂの長さ方向と同じ方向へ切り込まれたものとなっている。
【００６６】
それぞれの指詰め防止部材６５をドア本体１０の端面１０Ｂ，１０Ｃに係止部材７０で取り付けるときは、それぞれの指詰め防止部材６５の後端６５Ｃに両面に粘着剤が塗布された両面テープ７１を取り付け、係止部材７０の２個の係止部７０Ｂのそれぞれを２個の指詰め防止部材６５の溝６５Ｅに挿入するとともに、それぞれの指詰め防止部材６５に取り付けた両面テープ７１を前記表面部材６７の端部６７Ａに粘着させ、これにより、指詰め防止部材６５をドア本体１０に仮止めしながら、図９で示すように、係止部材７０の平面部７０Ａをビス６９で端面部材６６の平面部６６Ａに結合する。
【００６７】
係止部材７０を使用したこの指詰め防止部材６５の配置作業をドア本体１０の両方の端面１０Ｂ，１０Ｃについて行う。
【００６８】
なお、指詰め防止部材６５をドア本体１０に仮止めするための両面テープは、指詰め防止部材６５の内側面部６５Ｄにも取り付けてもよい。
【００６９】
以上の作業を行うと、それぞれの指詰め防止部材６５は係止部材７０の係止部７０Ｂに係止された状態でドア本体１０の端面１０Ｂ，１０Ｃに取り付けられることになり、指詰め防止部材６５は係止部材７０の係止部７０Ｂでドア本体１０の厚さ方向に位置決めされるとともに、指詰め防止部材６５の後端６５Ｃはドア本体１０を形成している表面部材６７の端部６７Ａに両面テープ７１を介して当接しているため、指詰め防止部材６５はドア本体１０の幅方向にも位置決めされる。
【００７０】
このため、指詰め防止部材６５をドア本体１０の所定位置に位置決め配置する作業は、指詰め防止部材６５の溝６５Ｅへの係止部材７０の係止部７０Ｂの挿入と、ビス６９による係止部材７０のドア本体１０への取り付けという簡単な作業で行うことができ、短時間で容易に行える。
【００７１】
また、指詰め防止部材６５の挟持部６５Ｆは係止部材７０の係止部７０Ｂをその弾性力で挟持することになり、このため、両面テープ７１による粘着と併せ、ドア本体１０への指詰め防止部材６５の取付強度を大きくできる。また、本実施形態では、指詰め防止部材６５の挟持部６５Ｅの先端には係止部材７０の係止部７０Ｂ側へ突出した突部６５Ｈが形成されているため、この挟持部６５Ｅによる係止部７０Ｂの挟持強度を大きくできる。
【００７２】
特に本実施形態によると、指詰め防止部材６５はドア本体１０の端面１０Ｂ，１０Ｃと同じ大きさで形成されておらず、ドア本体１０の厚さ方向に分割されて端面１０Ｂ，１０Ｃに配置されているため、厚さ寸法が異なる各種のドア本体１０について共通使用でき、汎用性を有する。
【００７３】
また、指詰め防止部材６５は端面１０Ｂ，１０Ｃにおけるドア本体１０の厚さ方向中央部には配置されないため、図９で示したラッチ部材１９が出没する孔は指詰め防止部材６５に形成する必要がなく、図９に示すとおり、この孔７２は端面部材６６と係止部材７０に形成すればよいため、この点でも指詰め防止部材６５は各種のドア本体１０に共通使用できることになる。
【００７４】
また、本実施形態に係る指詰め防止部材６５はドア本体１０の端面１０Ｂ，１０Ｃにおけるドア本体厚さ方向の両方の端部に分離して配置されているとともに、これらの端部は、前述のしたように、窪んだ窪み部６８となっており、指詰め防止部材６５はこの窪み部６８と対応した大きさ（体積）を有しているため、これらの端部をＬ字状の角部をした場合よりも指詰め防止部材６５の大きさを大きくできる。この結果、弾性材料からなる指詰め防止部材６５の弾性変形量を大きくでき、充分な指詰め防止機能を確保できることになる。
【００７５】
図１２は、別実施形態に係る指詰め防止部材８５を示す。この指詰め防止部材８５は、前記実施形態の指詰め防止部材６５と同じ平断面形状を有するものとなっているが、硬質合成樹脂又は金属等による硬質材料で形成された内部部材８５Ａの外側に、ゴム又は軟質合成樹脂あるいは多孔質合成樹脂等による弾性材料で形成された外部部材８５Ｂが被せられたものとなっている。
【００７６】
この実施形態によると、硬質材料による内部部材８５Ａを有しているため、ドア本体１０への取り付け前における指詰め防止部材８５が撓み変形することはなく、このため、指詰め防止部材８５の取り扱いを容易に行える。
【００７７】
なお、図１２の指詰め防止部材８５は、内部部材８５Ａの各部分のうち、端面部材６６、係止部材７０、両面テープ７１と接触する部分には外部部材８５Ｂを被せないものとなっているが、これらの部分にも外部部材８５Ｂを被せてもよい。
【００７８】
また、内部部材８５Ａは大きさは任意であり、図１２で示したものよりも小さくしてもよく、例えば、ワイヤー状、フラットバー状としてもよい。
【００７９】
【発明の効果】
厚さ寸法が異なっても同じ指詰め防止部材を使用できるようになる開閉体を得られ、またこの開閉体に使用できる指詰め防止部材を得られる。
【図面の簡単な説明】
【図１】開閉体がバランスドアのドア本体である場合におけるバランスドアの室内側を示す正面図である。
【図２】バランスドアの背面図である。
【図３】図１のIII−III線断面図である。
【図４】図２のIV−IV線断面図である。
【図５】ドア本体の開閉時の運動を示す模式的平面図である。
【図６】ドア本体が閉じたときを実線で、開いたときを仮想線で示した斜視図である。
【図７】揺動部材である上下のアーム部材とドア本体との連結構造、及び揺動中心部材である揺動筒部材の揺動中心軸の構造を示す一部破断のドア本体及びその周囲の縦断面図である。
【図８】図７のVIII−VIII線断面図である。
【図９】一部を破断したドア本体及びその周囲部材を示す平断面図である。
【図１０】ドア本体の端面に配置される指詰め防止部材を拡大して示す斜視図である。
【図１１】指詰め防止部材とその周辺部材を示す平断面図である。
【図１２】別実施形態に係る指詰め防止部材を示す図１１と同様の図である。
【符号の説明】
１  開口部である出入口
２  バランスドアの外枠組み
７  揺動中心部材である揺動筒部材
８，９  揺動部材である上下のアーム部材
１０  開閉体であるドア本体
１２  ガイド部材であるガイドレール
１５  被ガイド部材であるローラ
５０  自閉装置
６５，８５  指詰め防止部材
６５Ｅ  溝
６８  窪み部
７０  係止部材
７０Ｂ  係止部
８５Ａ  内部部材
８５Ｂ  外部部材
【図１】
0004108240.tif 000002
【図２】
0004108240.tif 000003
【図３】
0004108240.tif 000004
【図４】
0004108240.tif 000005
【図５】
0004108240.tif 000006
【図６】
0004108240.tif 000007
【図７】
0004108240.tif 000008
【図８】
0004108240.tif 000009
【図９】
0004108240.tif 000010
【図１０】
0004108240.tif 000011
【図１１】
0004108240.tif 000012
【図１２】
0004108240.tif 000013